(57)【特許請求の範囲】
【請求項１】
手洗鉢の開口部の裏面より挿入して前方に突出させた給水部材に吐水口を取付けたロータンクの手洗鉢において、前記吐水口にネジ固定部を設けるとともに前記給水部材にネジ孔を設け、前記手洗鉢の前面側からネジにより前記ネジ固定部を介して前記ネジ孔に固定することにより、前記吐水孔を給水部材に固定したことを特徴とするロータンクの手洗鉢。
【請求項２】
前記給水部材に前記吐水口の位置決めを行なう凹または凸形状を設け、前記吐水口に凸又は凹形状を設けたことを特徴とする請求項１記載のロータンクの手洗鉢。
【請求項３】
前記ネジを整流板で隠蔽したことを特徴とする請求項１又は２記載のロータンクの手洗鉢。
【発明の詳細な説明】
【０００１】
【発明の属する技術分野】
本発明は、ロータンク上部に蓋装される手洗鉢に関する。
【０００２】
【従来の技術】
従来、ロータンク上部に蓋装される手洗鉢は吐水口に接続された給水部材が立壁の裏面に沿って下方に延設されており、かつ裏面には給水部材の位置決め用の凸部がもうけられ、位置決めされる。このため、手洗鉢をロータンクに蓋装する場合、ロータンク側より手洗鉢に給水するための立上管を容易に前記給水部材に勘合させることができるので容易に着脱することができ、保守時間を大幅に短縮できた。
【０００３】
【発明が解決しようとする課題】
従来、ロータンク上部に蓋装される手洗鉢は吐水口に接続された給水部材が立壁の裏面に沿って下方に延設されており、かつ立壁裏面には給水部材の位置決め用の凸部が２ヶ所設けられ、この間に給水部材が位置決めされる。よって、手洗鉢をロータンクに蓋装する場合、ロータンク側より手洗鉢に給水するための立上管を容易に前記給水部材に勘合させることができるので容易に着脱することができ、保守時間を大幅に短縮できた。しかし、前記突起による位置決めを行なうには給水管の管径と同じ幅にあわせて突起を配置しなければ、正確な位置決めは不可能であり、吐水口を固定するための形状を給水管の先端に設けると先端がこの突起間の幅よりも大きくなり、手洗鉢背面の壁面に開口を設けるか、壁面を別部材にする必要があった。
また、吐水口を取付ける際には開口を下に向けて取付けやすいように壁面を別部材にする必要があった。
本発明は上記課題を解決するためになされたもので、吐水口が手洗鉢開口部より突出した給水部材に取付けられ、ロータンクの上部に蓋装される手洗鉢において、組み付け作業が容易なロータンクの手洗鉢を提供することにある。
【０００７】
【課題を解決するための手段】
上記課題を解決するため、本発明のロータンクの手洗鉢は、手洗鉢の開口部の裏面より挿入して前方に突出させた給水部材に吐水口を取付けたロータンクの手洗鉢において、前記吐水口にネジ固定部を設けるとともに前記給水部材にネジ孔を設け、前記手洗鉢の前面側からネジにより前記ネジ固定部を介して前記ネジ孔に固定することにより、前記吐水孔を給水部材に固定したことを特徴とする。このような構成とすることにより、吐水口を回転させることなく、手洗鉢前面側から取付けることができ、組み付け作業が容易となる。
【０００８】
また、請求項１記載のロータンクの手洗鉢において、前記給水部材に前記吐水口の位置決めを行なう凹または凸形状を設け、前記吐水口に凸又は凹形状を設けることができる。このような構成とすることにより、手洗鉢背面の立ち壁を別部材にすることなく、容易に吐水口を手洗鉢に組み立てることができる。
【０００９】
さらに、請求項１又は２記載のロータンクの手洗鉢において、前記ネジを整流板で隠蔽すれば、美観を損ねることが無い。
【００１０】
【発明の実施の形態】
以上説明した本発明の構成作用を一層明らかにするために、以下本発明の好適な実施例について説明する。図１は本発明のロータンクの手洗鉢を搭載した洋式便器を示す外観図である。
図１に示すように、便器装置１は洋風便器２に装着されるものであり、図示しない軸により便座３，便フタ４を回動自在に軸支して保持するケース本体５内部には洗浄水を便座３に座った人の局部に吹き出し局部洗浄を行う洗浄用ノズルや洗浄水を加熱したり、温風を吹き出すための機能部を収納する。
この便器装置１が洋式便器２の後部に取り付けられると、便器装置1に内蔵されたロータンクの便器洗浄機能によって、便器の洗浄が行なえる。ロータンク上部には手洗鉢６が蓋装され、便器洗浄時に吐水口から手洗水が供給される。
【００１１】
図２は本発明のロータンクの手洗鉢の構成を示す分解図である。図２に示すように手洗鉢本体７の手洗鉢奥壁７ａ及び背面壁７ｂの間には給水部材８を収納する収納空間Ａを設け、手洗鉢奥壁７ａには開口部７ｃを設ける。開口部７ｃは数箇所に凹部７ｄを設ける。給水部材８は垂直管部８ａと接続管部８ｂとで略Ｌ字形状に形成する。なお、接続管部８ｂには開口部７ｃへの挿入長さを規制するフランジ８ｃ及び開口部７ｃに設けた凹部７ｄと共に給水部材８の回転を規制する凸部８ｄを設ける。また接続管部８ｂ外周一部には切欠凹部８ｆを設ける。吐水口１０先端には整流板１３を取付け、吐水口１０後部は接続管部８ｂに嵌め込む為開放する。また吐水口１０上側に給水室１０ａ、下側にネジ固定部１０ｂを設ける。なお、ネジ固定部１０ｂは吐水口１０中心部より下側に設ける。また、吐水口１０後部開口端内方に突出する２条のリブ１０ｃを設ける。上記構成において、手洗鉢本体７裏面より給水部材８の接続管部８ｂをパッキン９を介して手洗鉢本体に設けられた位置決め形状（凹部７ｄと凸部８ｄ）を有した開口部７ｃに挿入する。これにより給水部材８の垂直管部８ａは位置決め形状（凹部７ｄと凸部８ｄ）に勘合して手洗鉢本体７と真下方に位置決めされる。挿入された接続管部８ｂ先端には吐水口１０がＯリング１１を介して、切欠凹部８ｆ及び２条のリブ１０ｃで吐水口１０は位置決めされ、前方より吐水口開口穴よりネジ１２によって接続管部８ｂに設けたネジ孔８ｅに固定する。この施工後に開口穴に整流板１３を挿入し、ネジ１２の頭部分が外観に出ないよう隠蔽する。
【００１２】
図２の説明をよりわかりやすくするために、図３に手洗鉢の断面図、図４に図３のＡ−Ａ’断面図、図５に手洗鉢本体７の開口部７ｃの拡大斜視図、図６に給水部材８の拡大斜視図を夫々示す。
上記のように手洗鉢の給水部材取付け用開口部に給水部材位置決め用の凹または凸形状を設ければ、手洗鉢の鉢面裏の位置決め用の２条のリブを設ける必要がなく、給水部材８に吐水口１０のための位置決め形状（切欠凹部８ｆ及び２条のリブ１０ｃ）を設け、吐水口１０を手洗鉢７前面より給水部材８に固定することによって、手洗鉢７背面に吐水口１０取付用開口を設けることなく、また、その開口を覆う蓋部材を設ける必要が無い。また、手洗鉢７前面から、容易に給水部材８を手洗鉢７に組み立てることができる。
【００１３】
なお、凹部７ｄと凸部８ｄは凹凸関係を逆としても良い。同様に切欠凹部８ｆ及び２条のリブ１０ｃも凹凸関係を逆としても良い
【００１４】
更に、給水部材８に切欠凹部８ｆを設けたが、手洗鉢７の奥壁７ａに吐水口１０の回転防止用凹部を設け、その凹部に入り込むように２条のリブを吐水口１０に設けても良い。この場合においても、凹凸関係を逆にしても良い。
【図面の簡単な説明】
【図１】本発明の一実施例に係るロータンクの手洗鉢を搭載した洋式便器を示す。
【図２】本発明の一実施例に係るロータンクの手洗鉢の分解図を示す。
【図３】本発明の一実施例に係るロータンクの手洗鉢の断面図を示す。
【図４】図３のＡ−Ａ’断面図
【図５】本発明の一実施例に係る手洗鉢本体７の開口部７ｃの拡大斜視図
【図６】本発明の一実施例に係る給水部材８の拡大斜視図
【符号の説明】
１    便器装置
２    洋風便器
３    便座
４    便フタ
５    ケース本体
６    手洗鉢
７    手洗鉢本体
８    給水部材
９    パッキン
１０  吐水口
１１  Ｏリング
１２  ネジ
１３  整流板
【図１】
0003714053.tif 000002
【図２】
0003714053.tif 000003
【図３】
0003714053.tif 000004
【図４】
0003714053.tif 000005
【図５】
0003714053.tif 000006
【図６】
0003714053.tif 000007